(57)【要約】      （修正有）【課題】巻線機と、エアーモーターと、クラッチと、を含む巻線装置設備である。【解決手段】巻線機は、両側にそれぞれ手動回転装置１０１及び八字形レバー１０２が組み立てられ、集線装置１００に連動される第１のギアボックス１３及び第２のギアボックス１４が設けられる集線装置１００と、手動回転装置１０１と、八字形レバー１０２と、を含む。エアーモーター１１は、第２のギアボックス１４に組み立てられ、集線装置１００に連動されると同時に八字形レバー１０２を回転させる。エアーモーター１１は、外部ガスによって第２のギアボックス１４を動かす。クラッチ１２は、第２のギアボックス１４に組み立てられ、運転時における集線装置１００の回転数を制御するために集線装置１００に連動される。エアーモーター１１を巻線機１０を駆動する動力源とすることによって、巻線機１０における集線装置１００の回転方向を迅速で任意に変えることができる。【選択図】図１
2018019688.tif 000002
【特許請求の範囲】
【請求項１】
両側にそれぞれ第１のギア群を有する第１のギアボックス、及び第２のギア群を有する第２のギアボックスが設けられる集線装置と、手動回転装置と、八字形レバーと、を含み、前記第１のギアボックスは、前記手動回転装置及び前記八字形レバーが組み立てられ、前記第１のギア群によって前記集線装置に連動され、前記八字形レバーが前記集線装置の前方位置に位置する巻線機と、
前記第２のギアボックスに組み立てられ、前記第２のギア群によって前記集線装置に連動されると同時に、前記八字形レバーを回転させ、外部ガスによって前記第２のギア群を動作させるようにするエアーモーターと、
前記第２のギアボックスに組み立てられ、前記集線装置の運転時における回転数を制御するために前記第２のギア群によって前記集線装置に連動されるクラッチと、
を含む巻線装置設備。
【請求項２】
前記エアーモーターに装着され、ガス流路を有するベース及び前記ベースに枢着され前記ガス流路に位置する制御レバーを有する安全制御ユニットを更に含み、前記制御レバーは、前記ガス流路に位置する箇所に前記ガス流路と連通できるポートが形成され、前記ベースは、ガス入口及び前記エアーモーターと連通するガス出口を有し、前記ガス入口及び前記ガス出口が前記ガス流路と連通する請求項１に記載の巻線装置設備。
【請求項３】
前記エアーモーターは、給気口と排気口を有するケースと、互いに噛合するように前記ケース内に装着される複数の駆動ギアと、前記給気口と連通し、且つ前記複数の駆動ギアの回転方向を決めるために１つの前記複数の駆動ギアの一側に選択的に対応できるガススルーホールを有するガスガイド、及び前記ガスガイドに接続される操作制御用の操作レバーを含むガス操作レバーと、を含む請求項１又は２に記載の巻線装置設備。
【請求項４】
前記集線装置は、両端にそれぞれ接続ギアが設けられる枢軸と、前記枢軸に外嵌固定される集線スリーブと、を含む請求項１から３のいずれか一項に記載の巻線装置設備。
【請求項５】
前記第１のギア群は、前記八字形レバーに固定される被動ギアと、前記接続ギアと互いに噛合する第１のギア、及び前記第１のギアに固定され且つ前記被動ギアと互いに噛合する第２のギアを含み、前記手動回転装置に固定される主動ギアと、を含む請求項４に記載の巻線装置設備。
【請求項６】
前記第２のギア群は、前記エアーモーターに装着される主ギアと、前記主ギアと互いに噛合する大型ギア、及び前記大型ギアに固定され且つ別の前記接続ギアと噛合する小型ギアを含む連動ギアと、を含む請求項５に記載の巻線装置設備。
【請求項７】
前記八字形レバーは、両端が互いに連通する、互いに交差する２組のネジ溝を有する請求項１から６のいずれか一項に記載の巻線装置設備。
【請求項８】
支持レバーと、前記支持レバーの一端に設けられるクランプと、前記支持レバーの他端に装着され且つ前記ネジ溝に摺動可能に装着されるスライダーと、を含む整理支持レバーを更に含む請求項７に記載の巻線装置設備。
【請求項９】
前記集線装置による釣り線のヘッドを接続する巻込安全制御器を更に含む請求項８に記載の巻線装置設備。
【請求項１０】
ブラケットと、前記ブラケットに装着されるプーリーと、前記ブラケットに装着され且つ前記プーリーの前方位置に位置して前記整理支持レバーによって前記釣り線の別のヘッドを接続する回り止め装置と、を含み、前記集線装置の前方位置に装着される安定化ユニットを更に含む請求項９に記載の巻線装置設備。
【請求項１１】
固定枢軸部及び少なくとも１つのリミットレールが設けられ、前記安定化ユニット及び前記巻線機を取り付けるために用いられる台座を更に含む請求項１０に記載の巻線装置設備。
【発明の詳細な説明】
【技術分野】
【０００１】
本発明は、巻線装置に関し、特に、エアーモーターを用いる巻線装置設備に関する。
【背景技術】
【０００２】
一般的には、海上に海釣りをする場合、様々の様態の釣り具がある。そのうち、海釣り專用の釣り竿を架設するものもあるし、巻線装置によって釣り線を巻き取るものもある。この両者は、何れも海釣りの釣り具に属する設備である。
【０００３】
ただし、巻線装置は、主に、巻線装置設備及び電気モーターを釣り線の繰出及び巻込の設備とする。巻線装置に組み合わせられる釣り線は、異なる魚種及び要求に応じて異なるポンド数がある。電気モーターについては、巻線装置の巻込及び繰出の動力源とされる。
【０００４】
従来の巻線装置であれば、電気モーターにより提供される動力は、電力である。しかしながら、海釣りは、一般的に、湿潤で、塩度が高くて海風が大きい作業雰囲気にある。これらの環境因素は、電線に対して何れも高腐食性があるので、回線障害又は電線による火災などの問題が容易に発生する。また、電気モーターは、電力によってエナメル線、ロータ、鉄リングシート等の構造を介して動力を生じて出力する。片方向運転時、如何なる問題も発生しないが、緊急な反方向回転を必要とする時、電気モーターは、先ず、慣性動作したロータを減速し、次に、ロータの回転数が反転できる速度に減速されるまで、更にロータを反転すると同時に加速しなければならない。従って、正反転する度に、繰り返して減速、反転、加速等の工程を行わなければならない。このような形態では、巻線装置の巻込と繰出の状態をリアルタイムに変えることができないだけでなく、その同時に、このような操作方式の頻度が頻繁すぎると、電気モーターには障害が発生しやすい等の状況をもたらす。
【発明の概要】
【発明が解決しようとする課題】
【０００５】
本発明の主な目的は、巻線機の集線装置の回転方向を迅速で且つ任意に変えることができる巻線装置設備を提供することにある。
【課題を解決するための手段】
【０００６】
本発明の一態樣によれば、両側にそれぞれ第１のギア群を有する第１のギアボックス、及び第２のギア群を有する第２のギアボックスが設けられる集線装置と、手動回転装置と、八字形レバーと、を含み、第１のギアボックスは、手動回転装置及び八字形レバーが組み立てられ、第１のギア群によって集線装置に連動され、八字形レバーが集線装置の前方位置に位置する巻線機と、第２のギアボックスに組み立てられ、第２のギア群によって集線装置に連動されると同時に、八字形レバーを回転させ、外部ガスによって第２のギア群を動作させるようにするエアーモーターと、第２のギアボックスに組み立てられ、集線装置の運転時における回転数を制御するために第２のギア群によって集線装置に連動されるクラッチと、を含む巻線装置設備を提供する。
【０００７】
本発明の一実施例によれば、巻線装置設備は、エアーモーターに装着され、ガス流路を有するベース及び前記ベースに枢着されガス流路に位置する制御レバーを有する安全制御ユニットを更に含み、制御レバーは、ガス流路に位置する箇所に前記ガス流路と連通できるポートが形成され、ベースは、ガス入口及びエアーモーターと連通するガス出口を有し、ガス入口及びガス出口がガス流路と連通する。
【０００８】
本発明の一実施例によれば、エアーモーターは、給気口と排気口を有するケースと、互いに噛合するようにケース内に装着される複数の駆動ギアと、給気口と連通し、且つ駆動ギアの回転方向を決めるために１つの駆動ギアの一側に選択的に対応できるガススルーホールを有するガスガイド、及びガスガイドに接続される操作制御用の操作レバーを含むガス操作レバーを含む。
【０００９】
本発明の一実施例によれば、集線装置は、両端にそれぞれ接続ギアが設けられる枢軸と、枢軸に外嵌固定される集線スリーブと、を含む。
【００１０】
本発明の一実施例によれば、第１のギア群は、八字形レバーに固定される被動ギアと、接続ギアと互いに噛合する第１のギア、及び第１のギアに固定され且つ被動ギアと互いに噛合する第２のギアを含み、手動回転装置に固定される主動ギアと、を含む。
【００１１】
本発明の一実施例によれば、第２のギア群は、エアーモーターに装着される主ギアと、主ギアと互いに噛合する大型ギア、及び前記大型ギアに固定され且つ別の接続ギアと噛合する小型ギアを含む連動ギアと、を含む。
【００１２】
本発明の一実施例によれば、八字形レバーは、両端が互いに連通する、互いに交差する２組のネジ溝を有する。
【００１３】
本発明の一実施例によれば、巻線装置設備は、支持レバーと、前記支持レバーの一端に設けられるクランプと、支持レバーの他端に装着され且つネジ溝に摺動可能に装着されるスライダーと、を含む整理支持レバーを更に含む。
【００１４】
本発明の一実施例によれば、巻線装置設備は、集線装置による釣り線のヘッドを接続する巻込安全制御器を更に含む。
【００１５】
本発明の一実施例によれば、ブラケットと、ブラケットに装着されるプーリーと、ブラケットに装着され且つプーリーの前方位置に位置して整理支持レバーによって釣り線の別のヘッドを接続する回り止め装置と、を含み、集線装置の前方位置に装着される安定化ユニットを更に含む。
【００１６】
本発明の一実施例によれば、巻線装置設備は、固定枢軸部及び少なくとも１つのリミットレールが設けられ、安定化設備及び巻線機を取り付けるために用いられる台座を更に含む。
【００１７】
本発明の巻線装置設備によれば、エアーモーターを巻線機を駆動する動力源とすることによって、巻線機における集線装置の回転方向を迅速で且つ任意に変えることができ、巻込と繰出を任意で且つ迅速にする効果を有し、且つ巻込と繰出の緊急な転向による巻線装置設備の故障と損壊を生じにくい。又、巻線装置の動力源としてエアーモーターを採用すると同時に、巻線装置とエアーモーターとの間にギアで動力を伝達するため、全体の回転数はより迅速で且つ安定化になることができる。尚、巻線装置は機械的設計が採用されたため、クラッチによって集線装置に対して回転数を随時に精確に制御するという効果を達成させ、海上に海釣りを行う時の安定性を維持することができる。
【図面の簡単な説明】
【００１８】
【図１】本発明の一実施形態に係る巻線装置設備を示す斜視模式図である。
【図２】図１に示す巻線装置設備を示す斜視分解模式図である。
【図３】図１に示す巻線装置設備におけるエアーモーター及び第１のギアボックスを示す斜視分解模式図である。
【図４】図１に示す巻線装置設備における手動回転装置及び第１のギアボックスを示す斜視分解模式図である。
【図５】図１に示す巻線装置設備におけるエアーモーターを示す断面図であり、その給気使用状態を示す模式図である。
【図６】図１に示す巻線装置設備におけるエアーモーターが巻線機を駆動する使用状態を示す模式図である。
【図７】図１に示す巻線装置設備における手動回転装置が集線装置を回転する使用状態を示す模式図である。
【発明を実施するための形態】
【００１９】
本発明の上記及びその他の技術内容、特徴と効果については、以下の参照図面の実施例を組み合わせる詳しい説明において、明らかに示すことができる。
【００２０】
図１から図４を参照する。本発明の一実施形態に係る巻線装置設備１は、主に巻線機１０と、エアーモーター１１と、クラッチ１２と、を含む。
【００２１】
巻線機１０は、両側にそれぞれ第１のギア群１３０を有する第１のギアボックス１３、及び第２のギア群１４０を有する第２のギアボックス１４を有する集線装置１００と、手動回転装置１０１と、八字形レバー１０２と、を含み、第１のギアボックス１３は、手動回転装置１０１及び八字形レバー１０２が組み立てられ、第１のギア群１３０によって集線装置１００に連動され、八字形レバー１０２は、集線装置１００の前方位置に位置する。エアーモーター１１は、第２のギアボックス１４に組み立てられ、第２のギア群１４０によって集線装置１００に連動されると同時に、八字形レバー１０２を回転させ、外部ガスによって第２のギア群１４０を動作させるようにする。クラッチ１２は、第２のギアボックス１４に組み立てられ、集線装置１００の運転時における回転数を制御するために第２のギア群１４０によって集線装置１００に連動される。
【００２２】
集線装置１００は、枢軸１００４に外嵌固定される集線スリーブ１００２と両端にそれぞれ接続ギア１００６を設ける枢軸１００４と、を含む。
【００２３】
エアーモーター１１は、給気口１１００と排気口１１０２を有するケース１１０と、互いに噛合するようにケース１１０内に装着される複数の駆動ギア１１２と、給気口１１００と連通し、且つ駆動ギア１１２の回転方向を決めるために１つの駆動ギア１１２の一側に選択的に対応できるガススルーホール１１４１を有するガスガイド１１４０、及び前記ガスガイド１１４０に接続される操作制御用の操作レバー１１４２を含むガス操作レバー１１４と、を含む。
【００２４】
第１のギア群１３０は、八字形レバー１０２に固定される被動ギア１３００と、集線装置１００の中の１つの接続ギア１００６と互いに噛合する第１のギア１３０２、及び前記第１のギア１３０２に固定され且つ被動ギア１３００と互いに噛合する第２のギア１３０３を含み、手動回転装置１０１に固定される主動ギア１３０１と、を含む。
【００２５】
第２のギア群１４０は、エアーモーター１１に装着される主ギア１４００と、主ギア１４００と互いに噛合する大型ギア１４０２及び前記大型ギア１４０２に固定され且つ集線装置１００の中の別の接続ギア１００６と噛合する小型ギア１４０３を含む連動ギア１４０１と、を含む。
【００２６】
本発明の一実施形態の巻線装置設備によれば、エアーモーター１１を巻線機１０を駆動する動力源とすることによって、巻線機１０における集線装置１００の回転方向を迅速で且つ任意に変えることができる。従って、巻線装置設備１を海釣り船に装着して海上に船釣りをする時に、釣り線に対して巻込と繰出を任意で且つ迅速に行う効果を有し、且つ巻込と繰出の緊急な転向による巻線装置設備の故障と損壊を生じにくい。
【００２７】
同様に、図１から図４を参照する。本発明の一実施形態に係る巻線装置設備１は、安全制御ユニット１５と、整理支持レバー１６と、安定化ユニット１７と、巻込安全制御器１８と、台座１９とを更に含む。
【００２８】
安全制御ユニット１５は、エアーモーター１１に装着され、ガス流路１５１を有するベース１５０とベース１５０に枢着されガス流路１５１に位置する制御レバー１５２を含み、制御レバー１５２のガス流路１５１に位置する箇所に前記ガス流路１５１と連通するポート１５２０が形成され、ベース１５０は、ガス流路１５１と連通するガス入口１５００とエアーモーター１１と連通するガス出口１５０２とを有する。
【００２９】
整理支持レバー１６は、支持レバー１６０と、支持レバー１６０の一端に設けられるクランプ１６１と、支持レバー１６０の他端に装着されるスライダー１６２と、を含む。スライダー１６２は、八字形レバー１０２に装着される。八字形レバー１０２は、両端が連通する、互いに交差する２組のネジ溝１０２０を有する。従って、整理支持レバー１６は、スライダー１６２によってネジ溝１０２０に摺動可能に装着されると、左右に往復運動する作用を達成させ、更に、釣り線を左から右へ又は右から左への順序に沿って巻き込み及び繰り出すことができる。この構造により、釣り線が巻込と繰出中に結んだりむちゃくちゃにしたりすることなく、損壊を避けることができる。
【００３０】
安定化ユニット１７は、集線装置１００の前方位置に装着され、ブラケット１７０と、ブラケット１７０に装着されるプーリー１７２と、ブラケット１７０に装着され且つプーリー１７２の前方位置に位置する回り止め装置１７４とを含む。巻込安全制御器１８が主に集線装置１００からの釣り線２のヘッド（図６参照）を接続し、回り止め装置１７４が整理支持レバー１６を介して釣り線２の別のヘッドを接続する。
【００３１】
台座１９は、魚を船における支持フレームに固定するための固定枢軸部１９０と、ネジ又は固定素子によって支持フレームに可動に取り付けられる２つのリミットレール１９２とが設けられ、主に安定化ユニット１７及び巻線機１０を取り付けるために用いられる。従って、釣りを行う時、台座１９は、固定枢軸部１９０を軸心とすることができ、台座１９は、巻線装置設備１全体の自在性を向上するように、左右に制限的に回転することができる。
【００３２】
併せて図５から図７を参照する。それぞれエアーモーターが給気する使用状態と、エアーモーターが巻線機を駆動する使用状態と、手動回転装置が集線装置を回転する使用状態と、を示す。図３に、エアーモーター１１におけるケース１１０は給気口１１００と排気口１１０２を有することが見られる。外部のガスコンプレッサー(未図示)は給気口１１００によってガスを直接にエアーモーター１１の内部(図５の矢印方向を参照する)に導入することができ、ガスはガスガイド１１４０の上のガススルーホール１１４１に当たって方向が変わる。図中に、ガスガイド１１４０は、操作レバー１１４２(図６を参照する)の制御で右側へ回転するので、ガスが左側へガイドされる。この時、ケース１１０内に位置する二つの駆動ギア１１２は、ガスの作用で運転を開始し、更に第２のギア群１４０、集線装置１００、第１のギア群１３０及び八字形レバー１０２を動作させる。ガスを導入する圧力が高ければ高いほど、駆動ギア１１２の回転数が高くなり、更に釣り線の巻込と繰出の速度を速くする。逆に、ガスを導入する圧力が低ければ低いほど、ギア１１２を駆動する回転数が低くなり、更に、釣り線の巻込と繰出の速度が遅くなる。
【００３３】
図３、図４、図６及び図７によると、エアーモーター１１が給気を開始する時に、操作レバー１１４２を制御することにより、ガスガイド１１４０の回転方向を変え、更にガスのガイドされる位置を変えることができる。ガス方向を変えれば、集線装置１００の回転方向を変えることができ、集線スリーブ１００２によって繰り出し又は巻き込むことができる。集線装置１００によって釣り線２を巻き込み及び繰り出す時、釣り線２が順に集線装置１００に巻き込み及び繰り出すことができるために、スライダー１６２によって整理支持レバー１６を八字形レバー１０２上のネジ溝１０２０に摺動可能に装着し、このようにして、整理支持レバー１６が規律的に左右往復運動する作用を達成することができ、更に釣り線２を左から右へ又は右から左への順序に沿って巻き込み及び繰り出すことができる。この構造は、釣り線２が巻込と繰出中に結んだりむちゃくちゃになったりすることなく、損壊を避けることができる。
【００３４】
又、人工によって釣り線２の巻込と繰出を制御する必要があれば、手動回転装置１０１によって第１のギアボックス１３内の各ギアを回転させ、更に集線装置１００及び八字形レバー１０２を動作させるようにする。使用者は手動回転装置１０１で釣り線２の巻込と繰出をする時に、第１のギアボックス１３によって集線装置１００を回転させる。同様に、上の段落のとおり、整理支持レバー１６及び八字形レバー１０２によって、釣り線２を左から右へ又は右から左への順序に沿って規律的に巻き込み及び繰り出すようにガイドすることができる。
【００３５】
上記では、エアーモーター１１又は手動回転装置１０１によって釣り線２を巻き込み及び繰り出す場合、集線装置１００の前方位置に装着される安定化ユニット１７は何れも迅速に巻込と繰出を行う時に釣り線２を安定化する作用を達成することができる。安定化ユニット１７のプーリー１７２は、釣り線２がずれることなく、巻込と繰出を行う時における釣り線２の安定性を効果的に安定化することができると同時に、プーリー１７２によっても迅速に輸送する時の釣り線２の流暢性を向上することができる。尚、釣り線２の二つのヘッドは、それぞれ回り止め１７４及び巻込安全制御器１８に接続されるため、巻込を行う時に、釣り線２は、デフォルト位置に巻込された後に、巻込安全制御器１８によって集線装置１００の回転数を低減するか、ひいては集線装置１００の継続的な回転を停止すると同時に、釣り線が最後に巻き込まれた後巻き込み続けることによる脱線する問題を防止するように、回り止め装置１７４を組み合わせる。
【００３６】
上記の釣り線２の巻込と繰出を制御する手段以外、本発明のクラッチ１２及び安全制御ユニット１５は、エアーモーター１１による集線装置１００の高速回転を効果的に制御することができる。クラッチ１２は、主に集線装置１００の回転速度を低減させ、更に速度を制御する効果を達成する。安全制御ユニット１５における制御レバー１５２は、使用時、釣り線２に寄るため、集線装置１００が高速回転する時に、釣り線２が引かれて制御レバー１５２を一定の高さに維持し、この高さは制御レバー１５２におけるポート１５２０と安全制御ユニット１５内のガス流路１５１とを連通させることができるため、ガスの正常な流動を維持でき、且つエアーモーター１１の正常な運転を維持できる。集線装置１００の回転数が遅くなり釣り線２のテンションが不足である場合、制御レバー１５２は低下し、この時、制御レバー１５２におけるポート１５２０は、ガス流路１５１と小さくなり、更にガスの流動量を低減させ、エアーモーター１１の回転数を低減させ、遮断されたガスがエアーモーター１１内に排出される。
【００３７】
本発明の実施形態を前述の通りに開示したが、それは本発明を限定するために用いられるものではなく、当業者なら、本発明の要旨や範囲から逸脱しない限り、多様の変更や修正を加えることができ、従って、本発明の保護範囲は、後の特許請求の範囲で指定した内容を基準とするものである。
【符号の説明】
【００３８】
１  巻線装置設備
１０  巻線機
１００  集線装置
１０１  手動回転装置
１０２  八字形レバー
１０２０  ネジ溝
１００２  集線スリーブ
１００４  枢軸
１００６  接続ギア
１１  エアーモーター
１１０  ケース
１１００  給気口
１１０２  排気口
１１２  駆動ギア
１１４  ガス操作レバー
１１４０  ガスガイド
１１４１  ガススルーホール
１１４２  操作レバー
１２  クラッチ
１３  第１のギアボックス
１３０  第１のギア群
１３００  被動ギア
１３０１  主動ギア
１３０２  第１のギア
１３０３  第２のギア
１４  第２のギアボックス
１４０  第２のギア群
１４００  主ギア
１４０１  連動ギア
１４０２  大型ギア
１４０３  小型ギア
１５  安全制御ユニット
１５０  ベース
１５００  ガス入口
１５０２  ガス出口
１５１  ガス流路
１５２  制御レバー
１５２０  ポート
１６  整理支持レバー
１６０  支持レバー
１６１  クランプ
１６２  スライダー
１７  安定化ユニット
１７０  ブラケット
１７２  プーリー
１７４  回り止め装置
１８  巻込安全制御器
１９  台座
１９０  固定枢軸部
１９２  リミットレール
【図１】
2018019688.tif 000003
【図２】
2018019688.tif 000004
【図３】
2018019688.tif 000005
【図４】
2018019688.tif 000006
【図５】
2018019688.tif 000007
【図６】
2018019688.tif 000008
【図７】
2018019688.tif 000009